(57)【要約】【課題】防雪効果が高く、スペースの有効利用および設置コストの低減を図ることができる空調システムを提供する。【解決手段】空調機１１は、底部に空気吸込口１４を有している。空調機１１は、空調用配管２０に接続され、建物の内部を空調可能である。支持部１２は、空調機１１を支持している。覆い部材１３は、下側に空気吸込み用の間隙１９をあけて空調機１１の下方空間を包囲している。空調用配管２０は、覆い部材１３の内側に配置されている。【選択図】図１
2005233581.tif 000002
【特許請求の範囲】
【請求項１】
空調用配管に接続された空調機により空調可能な空調システムであって、
空調機と支持部と覆い部材とを有し、
前記空調機は底部に空気吸込口を有し、
前記支持部は前記空調機を支持し、
前記覆い部材は下側に空気吸込み用の間隙をあけて前記空調機の下方空間を包囲し、
前記空調用配管は前記覆い部材の内側に配置されていることを、
特徴とする空調システム。
【請求項２】
前記空調機は複数から成り、前記空調用配管はヘッダ管と複数の分岐管とから成り、各分岐管は各空調機を前記ヘッダ管に接続していることを、特徴とする請求項１記載の空調システム。
【発明の詳細な説明】
【技術分野】
【０００１】
本発明は、空調システムに関する。
【背景技術】
【０００２】
空調機は、空気と一緒に雪を吸い込んだ場合、暖房効率が低下し、さらに吸込口が塞がれると故障のおそれがある。従来の空調機は、雪の吸込みを防ぐため、空調機側面の空気吸込口に防雪フードを取り付けている（例えば、特許文献１，２参照）。吸い込んだ空気の通路に複数本の加熱した管を並べ、空気に含まれる雪を管に接触させて除去する雪除去装置を備えたものもある（例えば、特許文献３参照）。
一般の空調機は屋外に空調用配管を配置しているが、省スペース化および配管の保護を図るため、建物の天井裏などに空調用配管を配置したものもある（例えば、特許文献４，５参照）。
【０００３】
【特許文献１】特開２００１−３５５８８０号公報
【特許文献２】特開昭５５−２０３１４号公報
【特許文献３】実開昭５９−１５８９２１号公報
【特許文献４】特開平５−７９６５８号公報
【特許文献５】特開平８−１４５９８号公報
【発明の開示】
【発明が解決しようとする課題】
【０００４】
しかしながら、特許文献１または２記載の空調機は、建物の屋上などの設置スペースが限られている場所で、広い設置スペースを必要とするため、スペースの有効利用を図ることができないという課題があった。また、吸引力の大きい大型の空調機では、パウダー状の細かい雪の場合、防雪フードのみでは雪の吸い込みを防ぐことができないという課題があった。特許文献３記載の空調装置では、加熱設備のため設備費が嵩むという課題があった。特許文献４，５記載の空調機は、設置に建物の天井裏の工事を伴うため、工事費が嵩むという課題があった。
【０００５】
本発明は、このような課題に着目してなされたもので、防雪効果が高く、スペースの有効利用および設置コストの低減を図ることができる空調システムを提供することを目的としている。
【課題を解決するための手段】
【０００６】
上記目的を達成するために、本発明に係る空調システムは、空調用配管に接続された空調機により空調可能な空調システムであって、空調機と支持部と覆い部材とを有し、前記空調機は底部に空気吸込口を有し、前記支持部は前記空調機を支持し、前記覆い部材は下側に空気吸込み用の間隙をあけて前記空調機の下方空間を包囲し、前記空調用配管は前記覆い部材の内側に配置されていることを、特徴とする。
【０００７】
本発明に係る空調システムは、好ましくは空調を行う建物の屋上に設置して使用される。本発明に係る空調システムは、空調機の底部に空気吸込口を有しているため、雪、風、雨が直接、空気吸込口に吹き込んで吸い込まれるのを防ぐことができる。これにより、暖房効率の低下や、雪で吸込口が塞がれて故障するのを防ぐことができる。また、空調機の側面に防雪フードを取り付ける必要がないので、設置スペースを小さくすることができる。さらに、底部スペースを利用して空気吸込口を大きくすることにより、空調機の吸込風速を抑え、雪、風、雨の吸込みをより効果的に防ぐことができる。
【０００８】
また、覆い部材が下側に空気吸込み用の間隙をあけて空調機の下方空間を包囲しているため、覆い部材により雪や風などを遮るとともに、間隙から空気吸込口までに距離をとり、風の強さを抑えて雪や風などの空気吸込口への吹込みをさらに効果的に防ぐことができる。
【０００９】
また、空調用配管が覆い部材の内側に配置されているため、空調機の下方空間の利用により、スペースの有効利用を図ることができる。さらに、空調用配管が覆い部材で周囲を保護されているため、空調用配管を建物の天井裏に設置した場合に比べて設置コストの低減を図ることができる。覆い部材は、支持部または空調機に対し着脱可能に設けられていることが好ましい。この場合、覆い部材を外すことにより、空調用配管の修理や点検などの維持管理が容易となる。
【００１０】
本発明に係る空調システムで、前記空調機は複数から成り、前記空調用配管はヘッダ管と複数の分岐管とから成り、各分岐管は各空調機を前記ヘッダ管に接続していてもよい。この構成では、各空調機からの分岐管がヘッダ管に接続されてまとめられているため、空調用配管の設置スペースを小さくすることができる。また、各空調機ごとに空調用配管を設ける場合に比べて、空調用配管の本数を少なくすることができ、設置コストを低減することができる。
【発明の効果】
【００１１】
本発明によれば、防雪効果が高く、スペースの有効利用および設置コストの低減を図ることができる空調システムを提供することができる。
【発明を実施するための最良の形態】
【００１２】
以下、図面に基づき、本発明の実施の形態について説明する。
図１乃至図２は、本発明の実施の形態の空調システムを示している。
図１（ａ）および図２に示すように、空調システム１０は、空調機１１と支持部１２と覆い部材１３とを有している。
【００１３】
空調機１１は、外形がほぼ直方体形状であり、暖房および冷房の機能を有している。空調機１１は、底部に空気吸込口１４を有している。空気吸込口１４には、鳥などが空調機１１の内部に入り込まないよう、エキスパンドメタル製の網１５が取り付けられている。図２に示すように、空調機１１は２台から成り、各空調機１１は近接して並んで配置されている。
【００１４】
図１（ａ）および図２に示すように、支持部１２は、鉄製の正角パイプから成る４本の柱材１６と４本の上部梁材１７と４本の下部梁材１８と複数の中間梁材（図示せず）とから成っている。支持部１２は、その上に各空調機１１を並べて配置可能な枠組みを形成している。各柱材１６は、長方形の頂点を構成する位置に互いに平行に配置されている。各上部梁材１７は、隣り合う各柱材１６の上端部を連結するよう各柱材に架け渡されて固定されている。各下部梁材１８は、設置面との間に間隙１９をあけて、隣り合う各柱材１６の下部を連結するよう各柱材に架け渡されて固定されている。各中間梁材は、各柱材１６、各上部梁材１７および各下部梁材１８のうち、対向する１対に連結するよう架け渡されて固定されている。支持部１２は、上部に４本の上部梁材１７で囲まれた上部矩形枠を有し、側部に２本の柱材１６と１本の上部梁材１７と１本の下部梁材１８で囲まれた側部矩形枠を４つ有している。支持部１２は、各上部梁材１７および中間梁材の上で各空調機１１を支持し、上部矩形枠が各空調機１１の底部で覆われている。
【００１５】
覆い部材１３は、４枚のアルミ板から成る。各覆い部材１３は、支持部１２に各側部矩形枠を覆うよう取り付けられている。各覆い部材１３は、下側に空気吸込み用の間隙１９をあけて空調機１１の下方空間を包囲している。各覆い部材１３は、例えば、各上部梁材１７に固定されたレバー式の固定具で容易に着脱可能に取り付けられている。
【００１６】
図２に示すように、空調用配管２０は、覆い部材１３の内側に配置され、８本の分岐管２０ａと４本のヘッダ管２０ｂ，２０ｃ，２０ｄ，２０ｅとから成る。分岐管２０ａは、空調機１１ごとに４本ずつ、全部で８本から成る。各分岐管２０ａは、各空調機１１をヘッダ管２０ｂ，２０ｃ，２０ｄ，２０ｅに接続している。ヘッダ管２０ｂ，２０ｃ，２０ｄ，２０ｅは、暖房用の給気管２０ｂおよび排気管２０ｃ、冷気用の給気管２０ｄおよび排気管２０ｅの、全部で４本から成る。ヘッダ管２０ｂ，２０ｃ，２０ｄ，２０ｅは、それぞれ建物内の空調設備に連結されている。各空調機１１は、各分岐管２０ａおよび各ヘッダ管２０ｂ，２０ｃ，２０ｄ，２０ｅを介して建物内を空調可能に構成されている。
【００１７】
次に、作用について説明する。
図１（ａ）に示すように、空調システム１０は、空調を行う建物の屋上に設置して使用される。空調システム１０は、空調機１１の底部に空気吸込口１４を有しているため、雪、風、雨が直接、空気吸込口１４に吹き込んで吸い込まれるのを防ぐことができる。これにより、暖房効率の低下や、雪で空気吸込口１４が塞がれて故障するのを防ぐことができる。また、図１（ｂ）に示すように、空調機１１の側面に防雪フード１を取り付ける必要がないので、設置スペースを小さくし、スペースの有効利用を図ることができる。さらに、底部スペースを利用して空気吸込口１４を大きくすることにより、空調機１１の吸込風速を抑え、雪、風、雨の吸込みをより効果的に防ぐことができる。
【００１８】
また、覆い部材１３が下側に空気吸込み用の間隙１９をあけて空調機１１の下方空間を包囲しているため、覆い部材１３により雪や風などを遮るとともに、間隙１９から空気吸込口１４までに距離をとり、風の強さを抑えて雪や風などの空気吸込口１４への吹込みをさらに効果的に防ぐことができる。なお、空調システム１０を外壁などに沿って設置する場合、その外壁を覆い部材として利用してもよい。
【００１９】
また、空調用配管２０が覆い部材１３の内側に配置されているため、空調機１１の下方空間の利用により、スペースの有効利用を図ることができる。さらに、空調用配管２０が覆い部材１３で周囲を保護されているため、空調用配管２０を建物の天井裏に設置した場合に比べて設置コストの低減を図ることができる。また、図１（ｂ）に示すように、空調用配管２０を屋外に設置した場合に比べて、凍結や破損を防ぐための断熱材や保護カバーを取り付ける必要がないため、設置コストの低減を図ることができる。覆い部材１３が支持部１２に対し着脱可能に設けられているため、覆い部材１３を外すことにより、空調用配管２０の修理や点検などの維持管理が容易となる。
【００２０】
各空調機１１からの分岐管２０ａがヘッダ管２０ｂ，２０ｃ，２０ｄ，２０ｅに接続されてまとめられているため、空調用配管２０の設置スペースを小さくすることができる。また、各空調機１１ごとに空調用配管２０を設ける場合に比べて、空調用配管２０の本数を少なくすることができ、設置コストを低減することができる。
【図面の簡単な説明】
【００２１】
【図１】本発明の実施の形態の（ａ）空調システムを示す正面図、（ｂ）従来の空調機を示す正面図である。
【図２】図１に示す空調システムを示す（ａ）一部を切り欠いた平面図、（ｂ）一部を切り欠いた正面図、（ｃ）一部を切り欠いた右側面図である。
【符号の説明】
【００２２】
１    防雪フード
１０  空調システム
１１  空調機
１２  支持部
１３  覆い部材
１４  空気吸込口
１５  網
１６  柱材
１７  上部梁材
１８  下部梁材
１９  間隙
２０  空調用配管
２０ａ  分岐管
２０ｂ，２０ｃ，２０ｄ，２０ｅ  ヘッダ管
【図１】
2005233581.tif 000003
【図２】
2005233581.tif 000004
【手続補正書】
【提出日】平成16年3月9日(2004.3.9)
【手続補正１】
【補正対象書類名】明細書
【補正対象項目名】００１６
【補正方法】変更
【補正の内容】
【００１６】
図２に示すように、空調用配管２０は、覆い部材１３の内側に配置され、８本の分岐管２０ａと４本のヘッダ管２０ｂ，２０ｃ，２０ｄ，２０ｅとから成る。分岐管２０ａは、空調機１１ごとに４本ずつ、全部で８本から成る。各分岐管２０ａは、各空調機１１をヘッダ管２０ｂ，２０ｃ，２０ｄ，２０ｅに接続している。ヘッダ管２０ｂ，２０ｃ，２０ｄ，２０ｅは、冷房用の冷水往管２０ｂおよび冷水還管２０ｃ、暖房用の蒸気往管２０ｅおよび還水管２０ｄの、全部で４本から成る。ヘッダ管２０ｂ，２０ｃ，２０ｄ，２０ｅは、それぞれ建物内の熱源設備に連結されている。各空調機１１においては、外気給送ダクト２１をファン２２の出口に接続しており、温調された外気を外気給送ダクト２１を介して建物内の空調設備に導くことで空調可能に構成されている。
【手続補正２】
【補正対象書類名】図面
【補正対象項目名】図２
【補正方法】変更
【補正の内容】
【図２】
2005233581.tif 000005